(57)【要約】 【課題】  未印刷蓄積書画の検索を容易にする。蓄積書画のセキュリティを保持。印刷済蓄積書画の検索を容易にする。スキャナ読取画像が蓄積済のものかの識別を容易にする。【解決手段】  書画メモリＨＤＤ；該メモリに書画を蓄積する手段１０，ＡＣＰ；書画メモリに蓄積した書画を特定する識別情報（ファイル名）を表示する２次元表示手段２１；表示された識別情報を指定する指定入力手段（図１８の２１）；書画を用紙上に形成する作像手段１４；および、作像手段が画像形成した書画メモリの書画に印刷済み情報を割り付け、前記指定入力手段によって前記指定があったときは、指定された識別情報によって特定される書画メモリの書画に印刷済み情報があると該書画の、前記２次元表示手段による表示を不可とする制御手段（１：図１５の６６，５７ｂ−６１）；を備える。【選択図】  図１５
2006333352.tif 000002
【特許請求の範囲】
【請求項１】
書画情報メモリ；
該書画情報メモリに書画情報を蓄積する蓄積手段；
前記書画情報メモリに蓄積した書画情報を特定する識別情報を表示する２次元表示手段；
該２次元表示手段に表示された識別情報を指定する指定入力手段；
書画情報の画像を用紙上に形成する作像手段；および、
前記作像手段により画像形成した前記書画情報メモリの書画情報に印刷済み情報を割り付け、前記指定入力手段によって前記指定があったときは、指定された識別情報によって特定される前記書画情報メモリの書画情報に印刷済み情報があると該書画情報の画像の、前記２次元表示手段による表示を不可とする制御手段；
を備える画像形成装置。
【請求項２】
前記制御手段は、前記指定入力手段によって指定があった識別情報によって特定される前記書画情報メモリの書画情報のセキュリティ情報に対応して、該書画情報の画像の前記２次元表示手段による表示／非表示および前記作像手段による印刷の諾否を制御する；請求項１に記載の画像形成装置。
【請求項３】
前記蓄積手段は、原稿画像を読み取り原稿画像を表す画像データを生成する画像読み取り装置；前記画像データが表す画像上のセキュリティ指定マークを検出するマーク認識手段；および、セキュリティ指定マークを検出した読み取り画像の画像データを、前記２次元表示手段による画像表示を不可とするセキュリティ情報を割り付けて前記書画情報メモリに蓄積する登録手段；を含む、請求項２に記載の画像形成装置。
【請求項４】
装置は更にユーザ識別手段を備え；前記蓄積手段は、前記書画情報メモリに蓄積する書画情報にユーザ識別要を表わすセキュリティ情報を割り付ける登録手段を含み；前記制御手段は、前記ユーザ識別手段がユーザと識別したことを条件に、該ユーザ識別要の書画情報の画像を前記２次元表示手段に表示する；請求項１乃至３のいずれか１つに記載の画像形成装置。
【請求項５】
前記指定入力手段は、印刷済み指定手段を含み；前記制御手段は、前記印刷済み指定手段が印刷済み指定を入力したときは、印刷済み情報が割り付けられた書画情報の画像を前記２次元表示手段に表示する；請求項１乃至４のいずれか１つに記載の画像形成装置。
【請求項６】
前記指定入力手段は、未印刷指定手段を含み；前記制御手段は、前記未印刷指定手段が未印刷指定を入力したときは、印刷済み情報の割り付けがない書画情報の画像を前記２次元表示手段に表示する；請求項１乃至５のいずれか１つに記載の画像形成装置。
【請求項７】
前記蓄積手段は、原稿画像を読み取り原稿画像を表す画像データを生成する画像読み取り装置；および、前記画像データが表す画像と同一の画像を表す書画情報が前記書画情報メモリにあるかを検索する異同識別手段；を含み、前記制御手段は、該異同識別手段が同一画像なしと識別したことを条件に、該画像データが表わす画像を前記２次元表示手段により表示する；請求項１乃至６のいずれか１つに記載の画像形成装置。
【発明の詳細な説明】
【技術分野】
【０００１】
本発明は、書画情報メモリ，それに書画情報を蓄積する蓄積手段，蓄積した書画を特定する識別情報（例えばファイル名）を表示する２次元表示手段，表示された識別情報を指定する指定入力手段、および、指定された書画情報の画像を用紙上に形成する作像手段、を備える画像形成装置に関し、例えば、プリンタ，複写機およびファクシミリ装置に使用することができる。
【背景技術】
【０００２】
【特許文献１】特開２００１−０５１９８７号公報
【特許文献２】特開平  １０−１９０９２１号公報
【特許文献３】特開２００４−１０９９３５号公報。
【０００３】
特許文献１には、蓄積書画のサムネイルをデイスプレイに表示するにおいて、キーワード認証が必要な書画は鍵マークアイコンで表示して、鍵マークアイコンが指定されるとキーワード入力要求を求めて、正しいキーワードの入力があると鍵マークを書画情報のサムネイルに変更する電子文書管理システムが記載されている。特許文献２には、ホストからの書画情報を、機密ファイルであることを表わすコードと機密解除のパスワードと共に記憶手段に蓄積するデジタル複写機が記載されている。特許文献３には、機密文書の予約コピーの設定時にパスワードを登録し、予約コピーの実行が可能になるとパスワード入力を待って予約コピーを実行する複写機が記載されている。
【発明の開示】
【発明が解決しようとする課題】
【０００４】
書画蓄積機能がある電子文書管理システムでは、特定人による、蓄積書画の内容確認，印刷対象書画の特定又は確認或いは蓄積抹消対象書画の特定又は確認を容易にする為に、蓄積書画の画像をサムネイル表示又はプレビュー表示する機能を持つ場合は、これによって書画情報のセキュリテイが損なわれる可能性がある。ところで、たとえばプリンタが使用中のときにコピーをしたい書画があると、スキャナ読み取りをして画像メモリに蓄積しておき、プリンタが使えるようになると蓄積書画を指定してプリントアウトする場合、同一人の蓄積書画でも、未印刷のものと印刷済のものとが混在するようになることがある。未印刷のものと印刷済のものとを識別して未印刷の特定書画を選択し或いは印刷済の特定書画を選択して、印刷または蓄積抹消するための書画特定がわずらわしい。特に、アクセス権限のない者による画像の覗き見を防ぐために書画情報の表示に制限を加える場合の、処分権限がある者による書画特定作業がわずらわしいものとなる可能性が高い。
【０００５】
本発明は、未印刷書画の検索を容易にすることを第１の目的とし、蓄積書画のセキュリティを保持することを第２の目的とする。また、一度印刷した書画の検索を容易にすることを第３の目的とし、画像読み取り装置で読み取った画像が蓄積済か否かの識別を容易にすることを第４の目的とする。
【課題を解決するための手段】
【０００６】
（１）書画情報メモリ(HDD)；
該書画情報メモリに書画情報を蓄積する蓄積手段(10，ACP)；
前記書画情報メモリに蓄積した書画情報を特定する識別情報を表示する２次元表示手段(21)；
該２次元表示手段に表示された識別情報を指定する指定入力手段(21：図18)；
書画情報の画像を用紙上に形成する作像手段(14)；および、
前記作像手段により画像形成した前記書画情報メモリの書画情報に印刷済み情報を割り付け、前記指定入力手段によって前記指定があったときは、指定された識別情報によって特定される前記書画情報メモリの書画情報に印刷済み情報があると該書画情報の画像の、前記２次元表示手段による表示を不可とする制御手段(1：図15の66，57b-61)；を備える画像形成装置。
【０００７】
なお、理解を容易にするために括弧内には、図面に示し後述する実施例の対応要素又は対応事項の符号を、例示として参考までに付記した。以下も同様である。
【発明の効果】
【０００８】
未印刷の蓄積書画が２次元表示手段(21)に表示可であり、一度印刷した蓄積書画の表示はないので、未印刷の蓄積書画の検索が容易になる。
【発明を実施するための最良の形態】
【０００９】
（２）前記制御手段(1)は、前記指定入力手段によって指定があった識別情報によって特定される前記書画情報メモリの書画情報のセキュリティ情報に対応して、該書画情報の画像の前記２次元表示手段による表示／非表示および前記作像手段による印刷の諾否を制御する(図15の63-65)；上記（１）に記載の画像形成装置。これによれば、セキュリティ情報によって、蓄積書画のセキュリティを保持することができる。
【００１０】
（３）前記蓄積手段(10，ACP)は、原稿画像を読み取り原稿画像を表す画像データを生成する画像読み取り装置(10)；前記画像データが表す画像上のセキュリティ指定マークを検出するマーク認識手段(図6の182)；および、セキュリティ指定マークを検出した読み取り画像の画像データを、前記２次元表示手段による画像表示を不可とするセキュリティ情報を割り付けて前記書画情報メモリに蓄積する登録手段(1：図14の45f-49)；を含む、上記（２）に記載の画像形成装置。
【００１１】
（４）装置は更にユーザ識別手段(図6の181，183)を備え；前記蓄積手段は、前記書画情報メモリに蓄積する書画情報にユーザ識別要を表わすセキュリティ情報を割り付ける登録手段(1：図14の43)を含み；前記制御手段は、前記ユーザ識別手段がユーザと識別したことを条件に、該ユーザ識別要の書画情報の画像を前記２次元表示手段に表示する(図15の55-59)；上記（１）乃至（３）のいずれか１つに記載の画像形成装置。
【００１２】
（５）前記指定入力手段は、印刷済み指定手段を含み；前記制御手段は、前記印刷済み指定手段が印刷済み指定を入力したときは、印刷済み情報が割り付けられた書画情報の画像を前記２次元表示手段に表示する(図16)；上記（１）乃至（４）のいずれか１つに記載の画像形成装置。これによれば、一度印刷した蓄積書画の検索が容易になる。
【００１３】
（６）前記指定入力手段は、未印刷指定手段を含み；前記制御手段は、前記未印刷指定手段が未印刷指定を入力したときは、印刷済み情報の割り付けがない書画情報の画像を前記２次元表示手段に表示する(図17)；上記（１）乃至（５）のいずれか１つに記載の画像形成装置。
【００１４】
（７）前記蓄積手段(10，ACP)は、原稿画像を読み取り原稿画像を表す画像データを生成する画像読み取り装置(10)；および、前記画像データが表す画像と同一の画像を表す書画情報が前記書画情報メモリにあるかを検索する異同識別手段(図6の184)；を含み、前記制御手段は、該異同識別手段が同一画像なしと識別したことを条件に、該画像データが表わす画像を前記２次元表示手段により表示する(図14の45b-45e)；上記（１）乃至（６）のいずれか１つに記載の画像形成装置。これによれば、スキャン原稿がスキャン済みか否かの識別が容易になる。
【００１５】
本発明の他の目的および特徴は、図面を参照した以下の実施例の説明より明らかになろう。
【実施例１】
【００１６】
図１に本発明の１実施例の複合機能複写機ＭＦ１の外観を示す。このフルカラー複写機は、大略で、自動原稿送り装置（ＡＤＦ）１３と、操作ボード２０と、カラースキャナ１０と、カラープリンタ１４およびフィニッシャ１００の各ユニットで構成されている。なお、操作ボード２０，ＡＤＦ１３付きのカラースキャナ１０およびフィニッシャ１００は、プリンタ１４から分離可能なユニットであり、カラースキャナ１０は、動力機器ドライバやセンサ入力およびコントローラを有する制御ボードを有して、プリンタ１４の機内の制御ボードの画像データ処理装置ＡＣＰ（図４）と直接または間接に通信を行いタイミング制御されて原稿画像の読み取りを行う。
【００１７】
画像データ処理装置ＡＣＰ（図４）には、パソコンＰＣが接続したＬＡＮ(Local Area Network)が接続されており、ファクシミリコントロールユニットＦＣＵ（図４）には、電話回線ＰＮ（ファクシミリ通信回線）に接続された交換器ＰＢＸが接続されている。カラープリンタ１４のプリント済の用紙は、フィニッシャ１００に排出される。
【００１８】
図２に、スキャナ１０およびそれに装着されたＡＤＦ１３の、原稿画像読み取り機構を示す。このスキャナ１０のコンタクトガラス２３１上に置かれた原稿は、照明ランプ２３２により照明され、原稿の反射光（画像光）が第１ミラー２３３で副走査方向ｙと平行に反射される。照明ランプ２３２および第１ミラー２３３は、図示しない、副走査方向ｙに定速駆動される第１キャリッジに搭載されている。第１キャリッジと同方向にその１／２の速度で駆動される、図示しない第２キャリッジには第２および第３ミラー２３４，２３５が搭載されており、第１ミラー２３３が反射した画像光は第２ミラー２３４で下方向（ｚ）に反射され、そして第３ミラー２３５で副走査方向ｙに反射されて、レンズ２３６により集束され、ＣＣＤ２０７に照射され、電気信号に変換される。第１および第２キャリッジは、走行体モータ２３８を駆動源として、ｙ方向に往（原稿走査），復（リタ−ン）駆動される。このようにスキャナ１０は、コンタクトガラス２３１上の原稿をランプ２３２およびミラー２３３で走査して原稿画像をＣＣＤ２０７に投影するフラットベッド方式の原稿スキャナであるが、シートスルー読み取りも可能なように、第１キャリッジがホームポジション（待機位置）ＨＰで停止しているときの第１ミラー２３３の読み取り視野位置に、シートスルー読み取り窓であるガラス２４０があり、このガラス２４０の上方に自動原稿供給装置(ＡＤＦ)１３が装着されており、ＡＤＦ１３の搬送ドラム（プラテン）２４４がガラス２４０に対向している。
【００１９】
ＡＤＦ１３の原稿トレイ２４１に積載された原稿は、ピックアップローラ２４２およびレジストローラ対２４３で搬送ドラム２４４と押さえローラ２４５の間に送り込まれて、搬送ドラム２４４に密着して読み取りガラス２４０の上を通過し、そして排紙ローラ２４６，２４７で、原稿トレイ２４１の下方の圧板兼用の排紙トレイ２４８上に排出される。
【００２０】
原稿の表面の画像は、原稿読取窓である読み取りガラス２４０を通過する際に、その直下に移動している照明ランプ２３２により照射され、原稿の表面の反射光は、第１ミラー２３３以下の光学系を介してＣＣＤ２０７に照射され光電変換される。すなわちＲＧＢ各色画像信号に変換される。搬送ドラム２４４の表面は、読み取りガラス２４０に対向する白色背板であり、白基準面となるように白色である。
【００２１】
読み取りガラス２４０と原稿始端の位置決め用のスケール２５１との間には、基準白板２３９、ならびに、第１キャリッジを検出する基点センサ２４９がある。基準白板２３９は、照明ランプ２３２の個々の発光強度のばらつき，また主走査方向のばらつきや、ＣＣＤ２０７の画素毎の感度ムラ等が原因で、一様な濃度の原稿を読み取ったにもかかわらず、読み取りデータがばらつく現象を補正（シェーディング補正）するために用意されている。
【００２２】
ＡＤＦ１３の基体２４８は、奥側（図２紙面の裏側）でスキャナ１０の基体にヒンジ結合（蝶番連結）しており、基体２４８の手前側（図２紙面の表側）の取っ手２５０ｍを持ってＡＤＦ１３の基体２４８引き上げることにより、ＡＤＦ１３を起こす（開く）ことができる。ＡＤＦ１３の基体２４８の奥側には、ＡＤＦ１３の開閉を検出するスイッチがある。ＡＤＦ１３の、コンタクトガラス２３１に対向する圧板２５０ｐがＡＤＦ１３の底面部に装着されており、ＡＤＦ１３が閉じると、圧板２５０ｐの下面が、図２に示すように、コンタクトガラス２３１の上面に密着する。
【００２３】
図３に、カラープリンタ１４の機構を示す。この実施例のカラープリンタ１４は、レーザプリンタである。１色のトナー像を形成する、感光体５６および現像器５５ならびに図示を省略したチャージャ，クリーニング装置および転写器の組体（作像ユニット）は、Ｍ（マゼンタ），Ｃ（シアン），Ｙ（イエロー）およびＢｋ（黒）のそれぞれの作像用に一組、合せて４組があり、この順に搬送ベルト５７に沿ってタンデムに配列されており、それらによって形成された各色トナー像が順次に一枚の転写紙上に重ねて転写される。
【００２４】
第１トレイ４８，第２トレイ４９および第３トレイ５０に積載された転写紙は、各々第１給紙装置５１，第２給紙装置５２および第３給紙装置５３によって給紙され、縦搬送ユニット５４によって感光体５６に当接する位置まで搬送される。
【００２５】
スキャナ１０にて読み込まれた画像データは、画像データ処理器ＩＰＰ（図４）で補正され、一旦メモリＭＥＭ（図４）に書き込まれてから、読み出され、読み出した画像データを用いる図３の書込ユニット３０からのレーザー露光によって、図示を省略したチャージャによって均一に荷電した感光体５６に書込まれ、これにより静電潜像を形成する。この静電潜像が現像ユニット５５を通過することによって感光体５６上にトナー像が現れる。転写紙が感光体５６の回転と等速で搬送ベルト５７によって搬送されながら、感光体５６上のトナー像が転写される。その後、定着ユニット５８にて画像を定着させ、排紙ユニット５９によって後処理装置のフィニシャ１００に排出される。
【００２６】
図３に示す、後処理装置のフィニシャ１００は、本体の排紙ユニット５９によって搬送された転写紙を、通常排紙ローラ１０３方向と、ステープル処理部方向へ導く事ができる。切り替え板１０１を上に切り替える事により、搬送ローラ１０３を経由して通常排紙トレイ１０４側に排紙する事ができる。また、切り替え板１０１を下方向に切り替える事で、搬送ローラ１０５，１０７を経由して、ステープル台１０８に搬送する事ができる。ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００２７】
一方、通常の排紙トレイ１０４は前後（図３紙面と垂直な方向）に移動可能な排紙トレイである。前後に移動可能な排紙トレイ部１０４は、原稿毎、あるいは、画像メモリによってソーティングされたコピー部毎に、前後に移動し、排出されてくるコピー紙を簡易的に仕分けるものである。転写紙の両面に画像を作像する場合は、各給紙トレイ４８〜５０から給紙され作像された転写紙を排紙トレイ１０４側に導かないで、経路切り替えの為の分岐爪６０を下向きに廻す事で、一旦反転ユニット１１２に導き、そして両面給紙ユニット１１１にストックする。
【００２８】
その後、両面給紙ユニット１１１にストックされた転写紙は再び、感光体５６に作像されたトナー画像を転写するために、両面給紙ユニット１１１から再給紙され、経路切り替えの為の分岐爪６０を図示水平に戻し、排紙トレイ１０４に導く。この様に転写紙の両面に画像を作成する場合に、反転ユニット１１２および両面給紙ユニット１１１が使用される。
【００２９】
感光体５６，搬送ベルト５７，定着ユニット５８，排紙ユニット５９および現像ユニット５５は、図示を省略したメインモータによって駆動され、各給紙装置５１〜５３はメインモータの駆動を、やはり図示を省略した各給紙クラッチによって伝達することにより駆動される。縦搬送ユニット５４は、メインモータの駆動を図示を省略した中間クラッチによって伝達することにより駆動される。
【００３０】
図４に、複合機能複写機ＭＦ１の書画情報処理系統のシステム構成を示す。このシステムでは、読取ユニット１１と画像データ出力Ｉ／Ｆ(Interface：インターフェイス)１２でなるカラー原稿スキャナ１０が、書画蓄積装置である画像データ処理装置ＡＣＰの画像データインターフェース制御ＣＤＩＣ（以下単にＣＤＩＣと表記）に接続されている。画像データ処理装置ＡＣＰにはまた、カラープリンタ１４が接続されている。カラープリンタ１４は、画像データ処理装置ＡＣＰの画像データ処理器ＩＰＰ(Image Processing Processor；以下では単にＩＰＰと記述)から、書込みＩ／Ｆ１５に記録画像データを受けて、作像ユニット１６でプリントアウトする。カラー原稿スキャナ１０は図２に示すもの、作像ユニット１６は、図３に示すものである。
【００３１】
図４に示す画像データ処理装置ＡＣＰ（以下では単にＡＣＰと記述）は、パラレルバスＰｂ，画像メモリアクセス制御ＩＭＡＣ（以下では単にＩＭＡＣと記述），画像メモリであるメモリモジュールＭＥＭ（以下では単にＭＥＭと記述），プログラムならびに書画情報の格納，蓄積を行うハードディスク装置ＨＤＤ（以下では単にＨＤＤと記述），システムコントローラ１，ＲＡＭ４，不揮発メモリ５，フォントＲＯＭ６，ＣＤＩＣ，ＩＰＰ等、を備える。パラレルバスＰｂには、ファクシミリ制御ユニットＦＣＵ（以下単にＦＣＵと記述）を接続している。操作ボード２０はシステムコントローラ１に接続している。
【００３２】
カラー原稿スキャナ１０の、原稿を光学的に読み取る読取ユニット１１は、原稿に対するランプ照射の反射光を、センサボードユニットＳＢＵ（以下では単にＳＢＵと表記）上の、ＣＣＤで光電変換してＲ，Ｇ，Ｂ画像信号を生成し、Ａ／ＤコンバータでＲＧＢ画像データに変換し、そしてシェーディング補正して、出力Ｉ／Ｆ１２を介してＣＤＩＣに送出する。
【００３３】
ＣＤＩＣは、画像データに関し、原稿スキャナ１０（出力Ｉ／Ｆ１２），パラレルバスＰｂ，ＩＰＰ間のデータ転送、ならびに、プロセスコントローラ１７とＡＣＰの全体制御を司るシステムコントローラ１との間の通信をおこなう。また、ＲＡＭ１８はプロセスコントローラ１７のワークエリアとして使用され、不揮発メモリ１９はプロセスコントローラ１７の動作プログラム等を記憶している。
【００３４】
画像メモリアクセス制御ＩＭＡＣ（以下では単にＩＭＡＣと記述）は、書画情報を蓄積する記憶手段であるＭＥＭやＨＤＤに対する画像データの書き込み／読み出しを制御する。システムコントローラ１は、ＨＤＤに対するプログラム，制御データ等の書画情報以外のデータの読み書きを制御し、パラレルバスＰｂに接続される各構成部の動作を制御する。また、ＲＡＭ４はシステムコントローラ１のワークエリアとして使用され、不揮発メモリ５はシステムコントローラ１の動作プログラム等を記憶している。
【００３５】
操作ボード２０は、ＡＣＰがおこなうべき処理を指示する。たとえば、処理の種類（複写、ファクシミリ送信、画像読込、プリント等）および処理の枚数等を入力する。これにより、画像データ制御情報の入力をおこなうことができる。
【００３６】
スキャナ１０の読取ユニット１１より読み取った画像データは、スキャナ１０のＳＢＵでシェーディング補正を施してから、ＩＰＰで、スキャナガンマ補正，フィルタ処理などの、読取り歪を補正する画像処理を施してから、ＭＥＭやＨＤＤに蓄積する。ＭＥＭあるいはＨＤＤの画像データをプリントアウトするときには、ＩＰＰにおいてＲＧＢ信号をＹＭＣＫ信号に色変換し、プリンタガンマ変換，階調変換，および、ディザ処理もしくは誤差拡散処理などの階調処理などの画質処理をおこなう。画質処理後の画像データはＩＰＰから書込みＩ／Ｆ１５に転送される。書込みＩ／Ｆ１５は、階調処理された信号に対し、パルス幅とパワー変調によりレーザー制御をおこなう。その後、画像データは作像ユニット１６へ送られ、作像ユニット１６が転写紙上に再生画像を形成する。
【００３７】
ＩＭＡＣは、システムコントローラ１の制御に基づいて、ＭＥＭ，ＨＤＤに対する画像データのアクセス制御，ＬＡＮ上に接続したパソコンＰＣ１等のプリント用データの展開，ＭＥＭ，ＨＤＤの有効活用のための画像データの圧縮／伸張ならびにパソコンＰＣ１等への画像データの転送等をおこなう。
【００３８】
ＩＭＡＣへ送られた画像データは、データ圧縮後、ＭＥＭ，ＨＤＤに蓄積され、蓄積された画像データは必要に応じて読み出される。読み出された画像データは、伸張され、本来の画像データに戻しＩＭＡＣからパラレルバスＰｂを経由してＣＤＩＣへ戻される。ＣＤＩＣからＩＰＰへの転送後は画質処理をして書込みＩ／Ｆ１５に出力し、作像ユニット１６において転写紙上に再生画像を形成する。
【００３９】
画像データの流れにおいて、パラレルバスＰｂおよびＣＤＩＣでのバス制御により、デジタル複合機の機能を実現する。ファクシミリ送信は、読取られた画像データをＩＰＰにて画像処理を実施し、ＣＤＩＣおよびパラレルバスＰｂを経由してＦＣＵ（ファクシミリ制御ユニット）へ転送することによりおこなわれる。ＦＣＵは、通信網へのデータ変換をおこない、それを公衆回線ＰＮへファクシミリデータとして送信する。ファクシミリ受信は、公衆回線ＰＮからの回線データをＦＣＵにて画像データへ変換し、パラレルバスＰｂおよびＣＤＩＣを経由してＩＰＰへ転送することによりおこなわれる。この場合、特別な画質処理はおこなわず、書込みＩ／Ｆ１５から出力し、作像ユニット１６において転写紙上に再生画像を形成する。
【００４０】
複数ジョブ、たとえば、コピー機能，ファクシミリ送受信機能，プリンタ出力機能が並行に動作する状況において、読取ユニット１１，作像ユニット１６およびパラレルバスＰｂの使用権のジョブへの割り振りは、システムコントローラ１およびプロセスコントローラ１７において制御する。プロセスコントローラ１７は画像データの流れを制御し、システムコントローラ１はシステム全体を制御し、各リソースの起動を管理する。また、デジタル複合機の機能選択は、操作ボード２０においておこなわれ、操作ボード２０の選択入力によって、コピー機能，ファクシミリ機能等の処理内容を設定する。
【００４１】
システムコントローラ１とプロセスコントローラ１７は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ，インターフェースのためのデータフォーマット変換をおこなうことにより、システムコントローラ１とプロセスコントローラ１７間の通信を行う。
【００４２】
各種バスインターフェース、たとえばパラレルバスＩ／Ｆ  ７、シリアルバスＩ／Ｆ  ９、ローカルバスＩ／Ｆ  ３およびネットワークＩ／Ｆ  ８は、ＩＭＡＣに接続されている。コントローラーユニット１は、ＡＣＰ全体の中での独立性を保つために、複数種類のバス経由で関連ユニットと接続する。
【００４３】
システムコントローラ１は、パラレルバスＰｂを介して他の機能ユニットの制御をおこなう。また、パラレルバスＰｂは画像データの転送に供される。システムコントローラ１は、ＩＭＡＣに対して、画像データをＭＥＭに蓄積させるための動作制御指令を発する。この動作制御指令は、ＩＭＡＣ，パラレルバスＩ／Ｆ  ７、パラレルバスＰｂを経由して送られる。この動作制御指令に応答して、画像データはＣＤＩＣからパラレルバスＰｂおよびパラレルバスＩ／Ｆ  ７を介してＩＭＡＣに送られる。そして、画像データはＩＭＡＣの制御によりＭＥＭに格納されることになる。
【００４４】
一方、ＡＣＰのシステムコントローラ１は、ＰＣからのプリンタ機能としての呼び出しの場合、プリンタコントローラとネットワーク制御およびシリアルバス制御として機能する。ネットワーク経由の場合、ＩＭＡＣはネットワークＩ／Ｆ  ８を介してプリント出力要求データを受け取る。
【００４５】
ＰＣからのプリント出力要求データはシステムコントローラ１により画像データに展開される。その展開先はＭＥＭ内のエリアである。展開に必要なフォントデータは、ローカルバスＩ／Ｆ  ３およびローカルバスＲｂ経由でフォントＲＯＭ６を参照することにより得られる。ローカルバスＲｂは、このコントローラ１を不揮発メモリ５およびＲＡＭ４と接続する。シリアルバスＳｂに関しては、ＰＣとの接続のための外部シリアルポート２以外に、ＡＣＰの操作部である操作ボード２０との転送のためのインターフェースもある。これはプリント展開データではなく、ＩＭＡＣ経由でシステムコントローラ１と通信し、処理手順の受け付け、システム状態の表示等をおこなう。システムコントローラ１とＭＥＭ，ＨＤＤおよび各種バスとのデータ送受信は、ＩＭＡＣを経由しておこなわれる。ＭＥＭ，ＨＤＤを使用するジョブはＡＣＰ全体の中で一元管理される。
【００４６】
図５に、ＣＤＩＣの機能構成の概要を示す。画像データ入出力制御１６１は、カラー原稿スキャナ１０（ＳＢＵ）が出力する画像データを受けて、ＩＰＰに出力する。ＩＰＰは、「スキャナ画像処理」１９０（図７，図８）をして、ＣＤＩＣの画像データ入力制御１６２に送りだす。画像データ入力制御１６２が受けたデータは、パラレルバスＰｂでの転送効率を高めるためにデータ圧縮部１６３に於いて、画像データの１次圧縮を行う。圧縮した画像デ−タは、データ変換部１６４でパラレルデータに変換してパラレルデータＩ／Ｆ１６５を介してパラレルバスＰｂへ送出される。パラレルデータバスＰｂからパラレルデータＩ／Ｆ１６５を介して入力される画像データは、データ変換部１６４でシリアル変換される。このデータは、バス転送のために１次圧縮されており、データ伸張部１６６で伸張される。伸張された画像データは、画像データ出力制御１６７によってＩＰＰへ転送される。ＩＰＰでは、「画質処理」３００（図７，図８）によりＲＧＢ画像データをＹＭＣＫ画像データに変換し、プリンタ１４の画像出力用の画像データＹｐ，Ｍｐ，Ｃｐ，Ｋｐに変換してカラープリンタ１４に出力する。
【００４７】
ＣＤＩＣは、パラレルバスＰｂで転送するパラレルデータとシリアルバスＳｂで転送するシリアルデータの変換機能を併せ持つ。システムコントローラ１は、パラレルバスＰｂにデータを転送し、プロセスコントローラ１３１は、シリアルバスＳｂにデータを転送する。２つのコントローラ１，１３１の通信のために、デ−タ変換部１６４およびシリアルデ−タＩ／Ｆ１６９で、パラレル／シリアルデータ変換を行う。シリアルデータＩ／Ｆ１６８は、ＩＰＰ用であり、ＩＰＰともシリアルデ−タ転送する。
【００４８】
図６に、ＩＭＡＣの構成の概略を示す。ＩＭＡＣは、アクセス制御１７２、メモリ制御１７３、２次圧縮／伸張モジュール１７６、画像編集モジュール１７７、システムＩ／Ｆ  １７９、ローカルバス制御１８０、パラレルバス制御１７１、シリアルポート制御１７５、シリアルポート１７４およびネットワーク制御１７８を備えている。また、ＩＤ照合モジュール１８１，マーク検知モジュール１８２，指紋照合モジュール１８３およびサムネイル照合モジュール１８４を備えている。２次圧縮／伸張モジュール１７６，画像編集モジュール１７７，パラレルバス制御１７１，シリアルポート制御１７５およびネットワーク制御１７８ならびにＩＤ照合モジュール等１８１〜１８４は、それぞれＤＭＡＣ（ダイレクトメモリアクセス制御）を介してアクセス制御１７２に接続されている。
【００４９】
システムＩ／Ｆ  １７９はシステムコントローラ１に対する命令またはデータの送受信をおこなう。基本的に、システムコントローラ１はＡＣＰ全体を制御する。また、システムコントローラ１はＭＥＭ，ＨＤＤの資源配分を管理し、他のユニットの制御は、システムＩ／Ｆ  １７９、パラレルバス制御１７１およびパラレルバスＰｂを介しておこなう。
【００５０】
ＡＣＰの各ユニットは基本的にパラレルバスＰｂに接続されている。したがって、パラレルバス制御１７１は、バス占有の制御をおこなうことによってシステムコントローラ１およびＭＥＭ，ＨＤＤに対するデータの送受信を管理する。
【００５１】
ネットワーク制御１７８は、ＬＡＮおよびインターネットとの接続を制御する。ネットワーク制御１７８は、ネットワークに接続された外部拡張機器に対するデータの送受信を管理する。すなわち、ＨＤＤに格納（セットアップ）したｗｗｗサーバ，ＦＴＰサーバ，ＳＭＴＰサーバ，ＤＨＣＰサーバおよびその他の、ファイル，メールの送受信に使用するサーバに基づいて、ＬＡＮおよびインターネットを介するファイル，メールの送受信を行う。また、送信ファイルの生成ならびに受信ファイルのディレクトリへの付加を行う。システムコントローラ１は、ＩＭＡＣにおけるネットワークインターフェースについて制御をおこなう。例えば、操作ボード２２０又はＰＣからの原稿読み取り＆送信のコマンドに対応してＩＭＡＣに、送信ファイルの生成，送信先のディレクトリの生成および送信を指示する。
【００５２】
シリアルバスに接続されるシリアルポート１７４は複数のポートを備えている。シリアルポート制御１７５は、用意されているバスの種類に対応する数のポート制御機構を備えている。外部シリアルポートとは別に、操作部とのコマンド受け付けまたは表示に関するデータの送受信の制御を行う。
【００５３】
ローカルバス制御１８０は、システムコントローラ１を起動させるために必要なＲＡＭ４，不揮発メモリ５およびプリンタコードデータを展開するフォントＲＯＭ６が接続されたローカルシリアルバスＲｂとのインターフェースをおこなう。
【００５４】
アクセス制御１７２は、システムＩ／Ｆ  １７９からシステムコントローラ１によるコマンド制御を実施する。アクセス制御１７２はまた、ＭＥＭ，ＨＤＤを中心に、外部ユニットからのＭＥＭ，ＨＤＤアクセスを管理する。画像データはＣＤＩＣからパラレルバスＰｂを介してＩＭＡＣに転送される。そして、その画像データはパラレルバス制御１７１においてＩＭＡＣ内に取り込まれる。
【００５５】
取り込まれた画像データのメモリアクセスは、システムコントローラ１の管理から離れる。すなわち、そのメモリアクセスは、システム制御から独立してダイレクトメモリアクセス制御（ＤＭＡＣ）によりおこなわれる。ＭＥＭ，ＨＤＤへのアクセスについて、アクセス制御１７２は複数ユニットからのアクセス要求の調停をおこなう。そして、メモリ制御１７３は、ＭＥＭ，ＨＤＤのアクセス動作またはデータの読み出し／書き込みを制御する。
【００５６】
ネットワークからＭＥＭ，ＨＤＤへアクセスする場合、ネットワークからネットワーク制御１７８を介してＩＭＡＣ内に取り込まれたデータは、ダイレクトメモリアクセス制御ＤＭＡＣによりＭＥＭ，ＨＤＤへ転送される。アクセス制御１７２は、複数ジョブでのＭＥＭ，ＨＤＤへのアクセスの調停をおこなう。メモリ制御１７３は、ＭＥＭ，ＨＤＤに対するデータの読み出し／書き込みをおこなう。シリアルバスからＭＥＭ，ＨＤＤへアクセスする場合、シリアルポート制御１７５によりシリアルポート１７４を介してＩＭＡＣ内に取り込まれたデータは、ダイレクトメモリアクセス制御ＤＭＡＣによりＭＥＭ，ＨＤＤへ転送される。
【００５７】
ネットワークまたはシリアルバスに接続されたＰＣからのプリント出力データは、システムコントローラ１により、ローカルバス上のフオントデータを用いて、ＭＥＭ，ＨＤＤ内のメモリエリアに展開される。
【００５８】
各外部ユニットとのインターフェースについては、システムコントローラ１が管理する。ＩＭＡＣ内に取り込まれた後のデータ転送については、図７に示すそれぞれのＤＭＡＣがメモリアクセスを管理する。この場合、各ＤＭＡＣは、お互いに独立してデータ転送を実行するため、アクセス制御１７２は、ＭＥＭ，ＨＤＤへのアクセスに関するジョブの衝突、または各アクセス要求に対する優先付けをおこなう。
【００５９】
ここで、ＭＥＭ，ＨＤＤへのアクセスには、各ＤＭＡＣによるアクセスの他に、格納データのビットマップ展開のためにシステムＩ／Ｆ  １７９を介してシステムコントローラ１からのアクセスも含まれる。アクセス制御１７２において、ＭＥＭ，ＨＤＤへのアクセスが許可されたＤＭＡＣデータ、またはシステムＩ／Ｆ  １７９からのデータは、メモリ制御１７３によりＭＥＭ，ＨＤＤに直接転送される。
【００６０】
ＩＭＡＣは、その内部でのデータ加工に関して２次圧縮／伸張モジュール１７６および画像編集モジュール１７７を有する。２次圧縮／伸張モジュール１７６は、２値画像データの圧縮，伸張を行うＭＨ方式の符号化／復号化機能および多値画像データの圧縮，伸張を行うＪＰＥＧ方式の符号化／復号化機能ならびにＴＩＦＦ方式のファイル化機能およびＰＤＦ方式のファイル化機能を含み、画像データまたはコードデータをＭＥＭ，ＨＤＤへ有効に蓄積できるようにデータの圧縮およびファイル化ならびに圧縮データの伸張をおこなう。２次圧縮／伸張モジュール１７６はＤＭＡＣによりＭＥＭ，ＨＤＤとのインターフェースを制御する。ＨＤＤ又はＭＥＭに書画情報を蓄積するときは、書画情報は、２次圧縮／伸張モジュール１７６によって所要のデータ形式およびファイル形式に変換される。また、ＨＤＤ又はＭＥＭから書画情報ファイルを読み出してネットワークに送出するときにも必要であれば、２次圧縮／伸張モジュール１７６によってデータ変換，ファイル形式の変換が行われる。
【００６１】
ＭＥＭ，ＨＤＤに一旦格納された画像データは、ダイレクトメモリアクセス制御ＤＭＡＣによりＭＥＭ，ＨＤＤからメモリ制御１７３、アクセス制御１７２を介して２次圧縮／伸張モジュール１７６に呼び出される。そこでデータ変換された画像データは、ダイレクトメモリアクセス制御ＤＭＡＣにより、ＭＥＭ，ＨＤＤへ戻されるか、外部バスへ出力される。
【００６２】
画像編集モジュール１７７は、ＤＭＡＣによりＭＥＭ，ＨＤＤを制御し、ＭＥＭ，ＨＤＤ内でのデータ加工をおこなう。具体的には、画像編集モジュール１７７は、メモリ領域のクリアの他に、データ加工として画像データの回転処理，異なる画像同士の合成などをおこなう。画像編集モジュール１７７は、ＭＥＭ，ＨＤＤから２次圧縮データを読出して２次圧縮／伸張モジュール１７６で１次圧縮データに伸張し、モジュール１７７内で、ＣＤＩＣのデータ伸張１６３と同じ復号化ロジックで１次圧縮データを画像データに伸張してモジュール１７７内のメモリに展開し、それを加工する。加工した画像データは、ＣＤＩＣの１次圧縮ロジックと同じ符号化ロジックで１次圧縮して、２次圧縮／伸張モジュール１７６で更に２次圧縮してＭＥＭ，ＨＤＤに書込む。
【００６３】
ＩＤ照合モジュール１８１は、操作ボード２０に入力されたＩＤがシステムコントローラ１を介して送信されると、ＤＭＡＣによりＨＤＤのＩＤ登録領域の登録ＩＤを読み出して、入力ＩＤが登録ＩＤと合致するかを検索して、合致するＩＤがＨＤＤのＩＤ登録領域に存在すると、ＩＤ認証成立をシステムコントローラ１に返信する。存在しないとＩＤ認証不成立をシステムコントローラ１に返信する。マーク検知モジュール１８２は、カラー原稿スキャナ１０が読みとってＭＥＭに蓄積された画像の所定領域（セキュリティマーク領域）の画像データをＤＭＡＣにより切り出して読み込み、ＤＭＡＣによりＨＤＤのセキュリテイマーク登録領域の画像データを読み出して、両領域の画像が合致すると、セキュリテイマークありを、合致しないとセキュリテイマークなしをシステムコントローラ１に報知する。指紋照合モジュール１８３は、システムコントローラ１から指紋照合が指示されると、操作ボード２０の液晶タッチパネル２１の指紋入力領域の画素マトリクスの各画素のタッチ情報（マトリクス全体のものが、指紋画像を表す）をＤＭＡＣにより操作ボード２０から読み込み、そしてＤＭＡＣによりＨＤＤの指紋登録領域の各登録指紋を読み出して、入力指紋が登録指紋と合致するかを検索して、合致する指紋がＨＤＤの指紋登録領域に存在すると、指紋認証成立をシステムコントローラ１に返信する。存在しないと指紋認証不成立をシステムコントローラ１に返信する。サムネイル照合モジュール１８４は、カラー原稿スキャナ１０が読みとってＭＥＭに蓄積された画像をＤＭＡＣにより読み込みながら該画像のサムネイル（縮小画像）（スキャナ読込みサムネイル）を生成して、ＤＭＡＣによりＨＤＤの、システムコントローラ１が与えているユーザＩＤ宛てのフォルダの各ファイルの各画像を読み出し、読み出し時にサムネイルを生成して、それにスキャナ読込み画像のサムネイルが合致するかを検索する。そして合致する画像があると、同一画像ありを、合致するものがないと同一画像なしを、システムコントローラ１に報知する。
【００６４】
図７に、ＩＰＰの画像処理概略を示す。読み取り画像はＳＢＵ，ＣＤＩＣを介してＩＰＰの入力Ｉ／Ｆ（インターフェース）から「スキャナ画像処理」１９０へ伝達される。この「スキャナ画像処理」１９０は、読み取り画像信号の読み取り劣化補正が目的で、シェーディング補正を行った後にスキャナガンマ変換等を行った後にＣＤＩＣにデータは転送されて、ＭＥＭ，ＨＤＤでの蓄積が行われる。ＭＥＭ，ＨＤＤに蓄積し、そして読み出された画像データは、ＣＤＩＣを経由して再びＩＰＰに転送される。ここで「地肌除去補正処理」が行われる。そして「画質処理」３００が行われる。
【００６５】
図８に、ＩＰＰの画像処理機能の概要を示す。ＩＰＰは分離生成（画像が文字領域か写真領域かの判定：像域分離）１９２，地肌除去１９３，スキャナガンマ変換１９４，フィルタ１９５，色補正３０２，変倍３０３，画像加工３０４，プリンタガンマ変換３０５および階調処理６０６を行う。ＩＰＰは画像処理をおこなうプログラマブルな演算処理手段である。スキャナ１０の出力Ｉ／Ｆ１２からＣＤＩＣに入力された画像データは、ＣＤＩＣを経由してＩＰＰに転送され、ＩＰＰにて光学系およびデジタル信号への量子化に伴う信号劣化（スキャナ系の信号劣化）を補正され、再度、ＣＤＩＣへ出力（送信）される。ＣＤＩＣからＩＰＰへ戻される画像データに対して、ＩＰＰにおいては、「画質処理」３００を行う。「画質処理」３００では、色補正３０２でＲＧＢ信号をＹＭＣＫ信号に色変換し、変倍３０３，画像加工３０４，プリンタガンマ変換３０５および、階調変換，ディザ処理もしくは誤差拡散処理などの階調処理３０６などをおこなう。
【００６６】
図９に、操作ボード２０の操作盤面の一部を示す。操作ボード２０には、液晶タッチパネル２１、テンキー２２、クリア／ストップキー２３、スタートキー２４、予熱キー２５、リセットキー２６、初期設定キー２７、コピーキー２８、コピーサーバキー２９があり、液晶タッチパネル２１には、機能キー、部数、及び画像形成装置の状態を示すメッセージなどが表示される。初期設定キー２７を押す事で、機械の初期状態を任意にカスタマイズする事が可能である。機械が収納している用紙サイズを設定したり、コピー機能のモードクリアキーを押したときに設定される状態を任意に設定可能である。また、一定時間操作が無いときに優先して選択されるアプリケーション等も選択する事、国際エネルギースター計画に従った低電力への移行時間の設定や、オートオフ／スリープモードへの移行する時間を設定する事が可能である。予熱キー２５を押すと、機械は待機状態から、電力低減状態に移行し、定着温度を低下させたり、操作部の表示を消灯する。予熱状態は、国際エネルギースター計画で言う、低電力状態を意味している。また、予熱状態、オフ状態／スリープ状態を解除し、待機状態に移行させるには、この予熱キーを再度押下する。コピーキー２８の押下により、コピー機能の使用が可能である。コピーサーバキー２９は、サーバユーザとしての登録（ＩＤ登録，指紋登録），原稿読み取り（蓄積）および既存の蓄積画像データの編集（コピーモード設定、印刷、削除）を行なうときに使用する。
【００６７】
図９は、液晶タッチパネル２１に、デフォルト表示のコピー条件入力画面を表示した状態を示す。この状態で「コピーサーバ」キー２９にタッチがあると、液晶タッチパネル２１の表示は図１２に示すコピーサーバ機能選択画面に切り換わる。このコピーサーバ機能選択画面に表示された「コピー」キーにタッチがあると、液晶タッチパネル２１の表示はコピーサーバ機能選択画面に切り換る前のコピー条件入力画面（図９）に戻る。コピーサーバ機能の詳細は、後述する。
【００６８】
図１０には、操作ボード２０の回路ブロックを示す。操作ボード２０の電気制御系の主体は、ＡＣＰのシステムコントローラ１およびＩＭＡＣのアクセス制御１７２とコミュニケーションし、操作ボード２０の入力を読取り、操作ボード２０上の表示を制御するＣＰＵ  ３１，このＣＰＵ  ３１の制御プログラムが格納されているＲＯＭ  ３２，制御時にデータの一時格納等を行うためのＲＡＭ  ３３，液晶タッチパネル２１の描画データを格納するＶＲＡＭ  ３７，このＶＲＡＭ  ３７に接続され液晶タッチパネル２１の描画タイミング制御およびタッチ入力検知等を行う液晶表示コントローラ（ＬＣＤＣ）３６，時刻データを発生する時計ＩＣ  ３５等がある。ＬＣＤＣ  ３６には、ＣＦＬの光源をバックライト３９として有する液晶タッチパネル２１が接続される。ＣＰＵ  ３１には更に、ＣＦＬバックライト３９を駆動するインバータ３８，操作キー群２２〜２９のキーマトリクス，表示ＬＥＤのＬＥＤマトリクスおよびそれらのＬＥＤを駆動するＬＥＤドライバ等が接続されている。また、ＣＰＵ  ３１が接続されたデータバスには、画像処理モード記憶用の不揮発ＲＡＭ（ＮＶＲＡＭ）３４が接続されている。
【００６９】
操作ボード２０のＣＰＵ  ３１は、操作ボード２０に対するユーザの操作に対応して、置数キーの押下の読込みと入力数字データの生成，指紋入力領域（画素マトリクス領域）の画素タッチ情報のＩＭＡＣへの送信，スタートキーの押下の読込みと、スタート指示のシステムコントローラ１への転送，用紙サイズの切換え入力の読取りなど、通常の複写機の操作読取りおよび表示出力の制御を行う。
【００７０】
図１１に、図４に示すシステムコントローラ１の画像処理制御の概要を示す。複写機ＭＦ１に電源が投入されて、図示しない電源回路から動作電圧が印加されると（ステップ１）、システムコントローラ１は、電源オン応答の初期化処理（ステップ２）を実行して、操作ボード２０の液晶タッチパネル２１には、操作ボード２０のＣＰＵ  ３１を介して、図９に示すような、デフォルト（標準）に設定された、コピーモードの入力待機画面を表示する（ステップ３）。
【００７１】
なお、以下においては、カッコ内にはステップという語を省略して、ステップ番号数字のみを記す。また、システムコントローラ１は、操作ボード２０への入力の読み取りおよび操作ボード２０の表示の切り換えは、操作ボード２０内のＣＰＵ  ３４を介して行うが、以下においては、該ＣＰＵ  ３４を介して行うとの記述は省略して操作ボード２０が行うと表現する。
【００７２】
次の「入力読み取り」（４）では、操作ボード２０に対するユーザ入力、あるいはネットワークを介したＰＣ１〜ＰＣ３或いはその他のＰＣもしくは機器（以上の全てをひっくるめて外部機器と表現することもある）からのアクセスを読み取る。ここでコピー（複写）条件入力があるとそれを読み込み、スタートキー２４の操作があるとコピー処理制御（５〜９）を行う。このコピー処理制御においては、原稿スキャナ１０から読み込んだ画像データは、指定枚数のコピーのためにＭＥＭ或いはＨＤＤに一時蓄積するが、指定枚数のコピーを終えた時点で自動的に消去する。ＰＣ等の外部機器からそれが与えるドキュメントの印刷指示を受けると、該ドキュメントを受信してプリントアウトする（１０，１１）。この場合も、ドキュメントデータは、指定枚数の印刷のためにＭＥＭ或いはＨＤＤに一時蓄積するが、指定枚数の印刷を終えた時点で自動的に消去する。
【００７３】
「コピーサーバ」キー２９にタッチがあると操作ボード２０は液晶タッチパネル２１の表示を、図１２に示す「コピーサーバ」の機能選択画面に切り換える（５，１２，１３）。該画面に表示された「コピー＆蓄積」キーは、原稿スキャナ１０で原稿を読み取ってＨＤＤに蓄積ししかもプリンタ１４でプリントアウトするコピーモードを指定するもの、「原稿読み取り」は原稿スキャナ１０で原稿を読み取ってＨＤＤに蓄積する読み取り＆蓄積を指定するもの、「設定」キーは、コピーサーバユーザとして、ＩＤおよび指紋をＭＦ１に登録するもの、「文書選択」キーは、ＨＤＤに蓄積している書画ファイルリストの、パネル２１上への表示を指定するもの、また、「印刷条件」キーは印刷条件の設定（のための入力画面の表示）を指示するもの、である。印刷条件を設定する入力画面を表示しているときにスタートキー２４が押されると、該入力画面に表示した印刷条件で印刷が開始される。「コピー」キーは、コピーモードの入力画面（図９）への復帰を指定するものである。
【００７４】
「設定」キーにユーザがタッチすると、操作ボード２０は液晶タッチパネル２１に「設定」入力画面を表示する（１４，１５）。
図１３に、「設定」（１５）の内容を示す。「設定」の入力画面には、ＩＤ入力領域と指紋入力領域（指当て領域），自動生成したフォルダ名（名称変更可のユーザフォルダ）および指示キー（登録，削除，キャンセル）があり、ユーザが必要に応じてフォルダ名を変更し、ＩＤを入力し指先を指紋入力領域に押し当てて登録キーにタッチすると（３１〜３３）、これらが操作ボード２０からコントローラ１を介してＩＭＡＣに転送され、ＩＭＡＣのメモリ制御１７３が、ＨＤＤ上に、入力ＩＤ宛てに上記ユーザフォルダを自動生成し、かつ、ＩＤをＨＤＤのＩＤ登録領域に、指紋をＨＤＤの指紋登録領域に、それぞれ登録する（３４）。ユーザがＩＤを入力し指先を指紋入力領域に押し当てて削除キーにタッチした場合（３１〜３３）には、ＨＤＤの入力ＩＤ宛てのユーザフォルダを消去し、ＨＤＤの該当のＩＤおよび指紋を抹消する（３４）。
【００７５】
再度図１１を参照する。「コピー＆蓄積」キーにユーザがタッチすると操作ボード２０は液晶タッチパネル２１に「コピー＆蓄積」入力画面を表示する。「コピー＆蓄積」入力画面は、図９に示す液晶タッチパネル２１のコピー条件指定画面に、さらにユーザ認証するためのＩＤ入力欄および指紋入力欄が加わったものである。ここでコントローラ１は、図１４に示し後述する「原稿読み取り」（１９）の蓄積処理をして、読込み画像をプリンタ１４でプリントアウトする。そして印刷済情報を、画像蓄積ファイルの管理情報に加える。
【００７６】
コピーサーバ画面（図１２）上の「原稿読み取り」キーにユーザがタッチすると操作ボード２０は「原稿読み取り」（１９）に進む。
図１４に、「原稿読み取り」（１９）の内容を示す。ここではまず、液晶タッチパネル２１に「原稿読み取り」入力画面を表示する（４１）。「原稿読み取り」入力画面は、図９に示す液晶タッチパネル２１のコピー条件指定画面から、印刷出力関連のキーブロックを削除し、かつユーザ認証するためのＩＤ入力欄および指紋入力欄を加えたものである。ここでユーザが登録ＩＤを入力し登録指紋を入力をすると、コントローラ１はＡＳＩＣのメモリ制御１７３を介して、ＨＤＤの、入力ＩＤ宛てのユーザフォルダ内にファイルを生成し、生成したファイル名を、名前の変更可に表示し、かつ、セキュリティ管理／非管理の選択欄（セキュリテイ管理がデフォルト）およびプレビュー／サムネイル選択欄（サムネイルがデフオルト）を表示する。ここでユーザが所要の選択又は変更を加えて「蓄積」キーにタッチすると、コントローラ１は、年月日などその他の管理情報とともに、セキュリティ管理／非管理の選択結果およびプレビュー／サムネイルの選択結果を、上記ファイルに登録する（４２，４３）。スタートキー２４が押されるとシステムコントローラ１は原稿読み取りを開始し、ＩＭＡＣを用いて原稿スキャナ１０の画像データを読み込んでＭＥＭに書き込む（４４）。そして読み込んだ画像の同一画像検索を、ＡＳＩＣに指示する。ＡＳＩＣのアクセス制御１７２が、サムネイル照合モジュール１８４に同一画像検索を指示し、サムネイル照合モジュール１８４が、ＭＥＭの読込画像のサムネイルを生成して、それと同一画像が上記入力ＩＤ宛てのユーザホルダ内の各ファイル内にあるかを、フアイル内画像のサムネイルを生成して読込画像のサムネイルと照合することにより、検索する（４５ａ）。
【００７７】
ＡＳＩＣ（サムネイル照合モジュール１８４）が同一画像なしを返信してくるとコントローラ１は、ステップ４３で設定した管理情報を参照して、プレビューが指定されているとＭＥＭの画像を液晶タッチパネル２１にプレビュー表示し、サムネイルが指定されているときにはＭＥＭの画像のサムネイルを液晶タッチパネル２１に表示する（４５ｃ〜４５ｅ）。ＡＳＩＣが同一画像ありを返信してきたときには、コントローラ１は、画像表示をしない（４５ｂ−４５ｆ）。
【００７８】
つぎにコントローラ１は、ＭＥＭの画像に対するセキュリテイマークの検索をＡＳＩＣに指示する。ＡＳＩＣのアクセス制御１７２が、マーク検知モジュール１８２にマーク検索を指示し、マーク検知モジュール１８２が、ＭＥＭの読込画像のマーク付与領域（所定位置）の画像を切り取ってＨＤＤに登録されているセキュリテイマークと同一か認識処理（ＯＣＲ）する（４５ｆ）。
【００７９】
コントローラ１は、つぎの画像読み込み指示があると、上述のステップ４４以下を再度繰り返す。パネル２１上に表示した蓄積指示キーの操作（ユーザタッチ）すなわち蓄積指示があるとＭＥＭの画像データをステップ４３で生成したファイルに書き込む。このとき、セキュリテイマークが検知されている画像（頁）に対しては、該ファイルの該画像の管理情報に「確認表示不可」を、検知されていなければ「確認表示可」を加える（４６，４８〜５０）。
【００８０】
再度図１１を参照する。コピーサーバ画面（図１２）上の「文章選択」キーにユーザがタッチするとコントローラ１は、「文章選択」（２１）に進む。
図１５に、「文章選択」（２１）の内容を示す。「文章選択」（２１）ではまず操作ボード２０の液晶タッチパネル２１に、ＨＤＤ上のユーザフォルダを表示し、いずれかのフォルダをユーザが指定（タッチ）すると、該フォルダ内の書画ファイルのリストを液晶タッチパネル２１に表示する（５１）。
【００８１】
図１８に、このときの表示の一例を示す。液晶タッチパネル２１には、指定フォルダ内の画像ファイルのリストが表示される。このとき、ジョブを、タッチパネル内任意のキーを押下することで、変更することができる。「戻る」キーにタッチすると、ＨＤＤ上ユーザフォルダの表示に戻る。指定したフォルダ内の書画ファイルは、表示順番号（ファイルＮｏ．）を付けて、登録日時順に表示される。頁数は、ファイル内の原稿画像枚数である。このリスト上でユーザは、ファイルＮｏ．および頁を指定できる。図１８の表示例では３行のみ表示されているが、５以上のファイルがある場合は、スクロールキーの「前へ」キー，「後へ」キーを押下することにより表示されていないファイル情報が表示可能である。表示領域に表示されている各行を押下すると該行が黒色に反転する。これを選択状態と呼ぶ。
【００８２】
１つのファイルが選択（指定）されると（５２）、コントローラ１は、指定ファイルの管理情報を参照して、該ファイルが、ステップ４３で設定されたＩＤ管理ファイルであると、ＩＤ，指紋入力画面をファイルリスト表示画面（図１８）上にポップアップ表示する。ユーザのＩＤ，指紋の入力があると、ＩＤ照合モジュール１８１および指紋照合モジュール１８３を使用して、入力ＩＤが該ファイルに登録されたものか、入力指紋が該ＩＤ宛てに登録されたものであるかを検索する（５３〜５６）。ＩＤ，指紋ともに認証が成立すると、該ファイルの管理情報に「確認表示可」があり、しかも印刷済情報がない場合には、プレビュー指定かサムネイル指定かに応じて、該ファイルの指定頁の画像を、パネル２１上にプレビュー表示又はサムネイル表示する（５８〜５９）。管理情報が「確認表示不可」であるときには、このような表示はしない（５７ａ−６１）。また、「確認表示可」であっても、印刷済情報があるときには、このような表示はしない（５７ｂ−６１）。
【００８３】
次にコントローラ１は、ユーザの次のジョブ指示を待って（６１）、「リストから削除」キーに操作があるとそのとき指定中のファイルをフォルダから削除する（６７）。「印刷条件」キーに操作があると、タッチパネル２１上の表示を印刷条件入力画面に変更する。ここでユーザが印刷条件を設定し、スタートキー２４を押下することにより、指定された印刷条件に従って指定ファイルの画像を印刷出力する（６４，６５）。印刷出力を終えると管理情報に「印刷済情報」を加える（６６）。
【００８４】
液晶表示パネル２１上に表示した「印刷済ファイル」キー（図１８）にタッチがあったときには、コントローラ１は、図１６に示すステップ７３に進んで、ＩＤおよび指紋入力画面をファイルリスト表示画面上にポップアップ表示する。ユーザのＩＤおよび指紋の入力があると、ＩＤ照合モジュール１８１および指紋照合モジュール１８３を用いて、入力ＩＤが該ファイルに登録されたものか、入力指紋が該ＩＤ宛てに登録されたものであるかを検索する（７４，７５）。ＩＤ，指紋ともに認証が成立すると、現在リスト表示中の全ファイル（指定中のユーザフォルダの全ファイル）の中の、管理情報に印刷済情報があるファイルを検索して、ファイルリスト表示を、印刷済情報があるファイルのみの表示に更新する（７６）。そして、更新したファイルリストのファイルが指定されると、該ファイルの各頁画像をパネル２１上にサムネイル表示する（７８）。次にコントローラ１は、ユーザの次のジョブ指示を待って（７９）、「リストから削除」キーに操作があるとそのとき指定中のファイルをフォルダから削除する（８４）。「印刷条件」キーに操作があると、タッチパネル２１上の表示を印刷条件入力画面に変更する。ここでユーザが印刷条件を設定し、スタートキー２４を押下することにより、指定された印刷条件に従って指定ファイルの画像を印刷出力する（８２，８３）。文書選択の終了入力（「コピー」，「コピー＆蓄積」又は「原稿読み取り」キーに対するユーザタッチ）があると、「文書選択」（２１）を終了する。
【００８５】
液晶表示パネル２１上に表示した「未印刷ファイル」キー（図１８）にタッチがあったときには、コントローラ１は、図１７に示すステップ８９に進んで、ＩＤおよび指紋入力画面をファイルリスト表示画面上にポップアップ表示する。ユーザのＩＤおよび指紋の入力があると、ＩＤ照合モジュール１８１および指紋照合モジュール１８３で、入力ＩＤが該ファイルに登録されたものか、入力指紋が該ＩＤ宛てに登録されたものであるかを検索する（９０，９１）。ＩＤ，指紋ともに認証が成立すると、現在リスト表示中の全ファイル（指定中のユーザフォルダの全ファイル）の中の、管理情報に印刷済情報が無いファイルを検索して、ファイルリスト表示を、印刷済情報が無いファイルのみの表示に更新する（９２）。そして、更新したファイルリストのファイルが指定されると、該ファイルの各頁画像をパネル２１上にサムネイル表示する（９４）。次にコントローラ１は、ユーザの次のジョブ指示を待って（９５）、「リストから削除」キーに操作があるとそのとき指定中のファイルをフォルダから削除する（１０１）。「印刷条件」キーに操作があると、タッチパネル２１上の表示を印刷条件入力画面に変更する。ここでユーザが印刷条件を設定し、スタートキー２４を押下することにより、指定された印刷条件に従って指定ファイルの画像を印刷出力する（９８，９９）。印刷を終了するとファイルの管理情報に印刷済情報を加える（１００）。文書選択の終了入力（「コピー」，「コピー＆蓄積」又は「原稿読み取り」キーに対するユーザタッチ）があると、「文書選択」（２１）を終了する。
【図面の簡単な説明】
【００８６】
【図１】本発明の１実施例である複合機能複写機ＭＦ１の外観を示す正面図である。
【図２】図１に示すＡＤＦ１３装備のカラー原稿スキャナ１０の拡大縦断面図である。
【図３】図１に示すフルカラープリンタ１４の作像機構の概要を示す拡大縦断面図である。
【図４】図１に示す複合機能複写機ＭＦ１の画像処理システムの構成を示すブロック図である。
【図５】図２に示す画像データインターフェース制御ＣＤＩＣの機能構成を示すブロック図である。
【図６】図２に示す画像メモリアクセス制御ＩＭＡＣの機能構成を示すブロック図である。
【図７】図２に示す画像データ処理器ＩＰＰの機能の概要を示すブロック図である。
【図８】図７に示すスキャナ画像処理１９０およびプリンタ画質処理３００の機能構成を示すブロック図である。
【図９】図１および図４に示す操作ボード２０の一部分の拡大平面図である。
【図１０】図９に示す操作ボード２０の内部の入出力処理システムの構成を示すブロツク図である。
【図１１】図４に示すシステムコントローラ１が、操作ボード２０およびＡＳＩＣを用いて実行する画像処理制御の概要を示すフローチャートである。
【図１２】図９に示す液晶タッチパネル２１に表示される「コピーサーバ」入力画面を示す拡大平面図である。
【図１３】図１１に示す「設定」（１５）のデータ登録制御の概要を示すフローチャートである。
【図１４】図１１に示す「原稿読み取り」（１９）の原稿画像読み取りおよび蓄積の制御の概要を示すフローチャートである。
【図１５】図１１に示す「文書選択」（２１）のファイル指定およびファイル画像処理の制御の一部を示すフローチャートである。
【図１６】図１１に示す「文書選択」（２１）のファイル指定およびファイル画像処理の制御の他の一部を示すフローチャートである。
【図１７】図１１に示す「文書選択」（２１）のファイル指定およびファイル画像処理の制御の残部を示すフローチャートである。
【図１８】図９に示す液晶タッチパネル２１に表示される、「文書選択」でのファイルリスト表示画面を示す拡大平面図である。
【符号の説明】
【００８７】
３０：書込ユニット
３１ｙ，３１ｍ，３１ｃ，３１ｂｋ：レーザダイオードユニット（ＬＤユニット）
３２ｙ，３２ｍ，３２ｃ，３２ｂｋ：シリンダレンズ
３３ｂｋ，３３ｙ：反射ミラー
３４：ポリゴンミラー
３５ｂｋｃ，３５ｙｍ：ｆθレンズ
３６ｙ，３６ｍ，３６ｃ，３６ｂｋ：第１ミラー
３７ｂｋｃ，３７ｙｍ：シリンダミラー
３８ｂｋｃ  ，３８ｙｍ  ：センサ
４８：第１トレイ
４９：第２トレイ    ５０：第３トレイ
５１：第１給紙装置  ５２：第２給紙装置
５３：第３給紙装置  ５４：縦搬送ユニット
５６：感光体        ５７：搬送ベルト
５８：定着ユニット  ５９：排紙ユニット
６０：分岐爪        ２６：搬送モータ
５５：現像器        １００：フィニシャ
１０１：切り替え板  １０３：排紙ローラ
１０４：排紙トレイ  １０５：搬送ローラ
１０６：ステープラ  １０７：搬送ローラ
１０８：ステープル台
１０９：ジョガー    １１０：排紙トレイ
１１１：両面給紙ユニット
１１２：反転ユニット
【図１】
2006333352.tif 000003
【図２】
2006333352.tif 000004
【図３】
2006333352.tif 000005
【図４】
2006333352.tif 000006
【図５】
2006333352.tif 000007
【図６】
2006333352.tif 000008
【図７】
2006333352.tif 000009
【図８】
2006333352.tif 000010
【図９】
2006333352.tif 000011
【図１０】
2006333352.tif 000012
【図１１】
2006333352.tif 000013
【図１２】
2006333352.tif 000014
【図１３】
2006333352.tif 000015
【図１４】
2006333352.tif 000016
【図１５】
2006333352.tif 000017
【図１６】
2006333352.tif 000018
【図１７】
2006333352.tif 000019
【図１８】
2006333352.tif 000020